(57)【特許請求の範囲】
【請求項１】
符号分割多重接続通信システムで多数の端末機中、少なくとも２個以上の端末機に共通情報を送信する方法において、
受信されるべきデータが存在することを示す少なくとも２つの端末機の各々に個別に割り当てられた専用チャネルを通じて該少なくとも２つの端末機の各々に個別に識別子を伝送する過程と、
端末機への共通情報がパケットデータチャネルを通じて伝送されることを示す共通アイディ（識別）を含む制御情報を伝送する過程と、
パケットデータチャネルを通じて前記共通情報を伝送する過程と、
を含むことを特徴とする方法。
【請求項２】
前記共通情報は予め設定された回数だけ反復伝送されることを特徴とする請求項１に記載の方法。
【請求項３】
前記共通情報は前記共通情報ではない他の情報を伝送する時に適用する送信電力以上の送信電力を適用して伝送されることを特徴とする請求項１に記載の方法。
【請求項４】
前記共通情報を伝送した以後、前記共通情報を伝送したすべての端末機中、少なくとも１つの特定端末機から否定的認知(ＮＡＣＫ)信号が受信される場合、前記少なくとも１つの特定端末機に対して前記共通情報を再伝送する過程をさらに含むことを特徴とする請求項１に記載の方法。
【請求項５】
前記共通情報を伝送した以後、前記共通情報を伝送したすべての端末機中、特定端末機から否定的認知(ＮＡＣＫ)信号が受信される場合、前記すべての端末機に対して前記共通情報を再伝送する過程をさらに含むことを特徴とする請求項１に記載の方法。
【請求項６】
符号分割多重接続通信システムで多数の端末機中、少なくとも２個以上の端末機に共通的に適用される共通情報を受信する方法において、
受信されるべきデータが存在することを通知する識別子を、少なくとも２個以上の端末機の各々に個別に割り当てられた専用チャネルを通じて個別に受信する過程と、
複数の端末機への共通情報がパケットデータチャネルを通じて伝送されることを示す共通アイディ（識別）を含む制御情報を受信する過程と、
パケットデータチャネルを通じて共通情報を受信する過程と、
を含むことを特徴とする方法。
【請求項７】
制御情報における共通アイディと関連した反復伝送関連の情報を分析して、共通情報が再伝送されるか否かを判断する過程をさらに含むことを特徴とする請求項６に記載の方法。
【請求項８】
前記受信された共通情報に誤りが発生した場合、前記共通情報に対する再伝送を要請する過程をさらに含むことを特徴とする請求項６に記載の方法。
【請求項９】
前記共通情報を再伝送する以前、受信されるべきデータが存在することを示す少なくとも１つの各特定端末機と関連した専用チャネルを通じて各少なくとも１つの特定端末機だけに少なくとも１つの識別子を伝送する過程をさらに含むことを特徴とする請求項４に記載の方法。
【発明の詳細な説明】
【０００１】
【発明の属する技術分野】
本発明は高速順方向パケット接続方式を使用する通信システムに関するもので、特に前記高速順方向パケット接続サービスを受けている使用者端末機に共通的に適用される共通情報を伝送する方法に関する。
【０００２】
【従来の技術】
一般的に、高速順方向パケット接続(High Speed Downlink Packet Access、以下、ＨＳＤＰＡ)方式はＵＭＴＳ(Universal Mobile Terrestrial System)通信システムで、順方向高速パケットデータ伝送を支援するための順方向データチャネルである高速順方向共通チャネル(High Speed-Downlink Shared Channel、以下、ＨＳ−ＤＳＣＨ)とこれと関連された制御チャネルを含むデータ伝送方式を総称する。前記ＨＳＤＰＡ方式を支援するために、適応的変調及びコーディング(Adaptive Modulation and Coding、以下、ＡＭＣ)方式と、複合再伝送方式(Hybrid Automatic Retransmission Request、以下、ＨＡＲＱ)及び速いセル選択(Fast Cell Select、以下、ＦＣＳ)方式が提案された。
【０００３】
１．ＡＭＣ方式
前記ＡＭＣ方式は、特定基地局(Node B)と端末機(ＵＥ:User Equipment)間のチャネル状態に応じて、相異なるデータチャネルの変調方式とコーディング方式を適応的に決定して、前記基地局全体の使用効率を向上させるデータ伝送方式をいう。従って、前記ＡＭＣ方式は複数個の変調方式と複数個のコーディング方式を有し、前記変調方式とコーディング方式を組み合わせてデータチャネルを変調及びコーディングする。通常的に、前記変調方式とコーディング方式の組み合わせそれぞれを変調及びコーディングスキーム(Modulation and Coding Scheme、以下、ＭＣＳ)とし、前記ＭＣＳ数に応じてレベル(level)１からレベル(level)ｎまで複数個のＭＣＳを定義することができる。即ち、前記ＡＭＣ方式は前記ＭＣＳのレベル(level)を前記端末機と前記端末機と現在無線接続されている基地局間のチャネル状態に応じて適応的に決定して前記基地局全体のシステム効率を向上させる方式である。
【０００４】
２．ＨＡＲＱ方式
ＨＡＲＱ方式、特に多チャネル停止-待機混化自動再伝送方式(ｎチャネルＳＡＷ ＨＡＲＱ:n-channel Stop And Wait Hybrid Automatic Retransmission Request、以下、ｎチャネルＳＡＷ ＨＡＲＱ)を説明する。
【０００５】
前記ＨＡＲＱ方式はＡＲＱ(Automatic Retransmission Request)方式の伝送効率を増加させるため、次のような二つの方案を新しく適用したものである。一番目の方案は、前記ＨＡＲＱは端末機と基地局間での再伝送要求及び応答を遂行するものであり、二番目の方案は誤りが発生したデータを一時的に貯蔵した後、該当データの再伝送データとコンバイン(Combining)して伝送するものである。またＨＳＤＰＡ方式では従来の止め-待機自動再伝送(Stop and Wait ARQ、以下、ＳＡＷ ＡＲＱ)方式の短所を補完するために、前記ｎチャネルＳＡＷ ＨＡＲＱ方式を導入した。前記ＳＡＷ ＡＲＱ方式の場合、基地局は以前に伝送したパケットデータに対するＡＣＫを受信しなければ、次のパケットデータを伝送しない。このように以前パケットデータに対するＡＣＫを受信した後のみに、次のパケットデータを伝送するので、基地局でパケットデータを現在伝送できるにも関わらず、ＡＣＫを待機すべきである場合が発生する。前記ｎチャネルＳＡＷ ＨＡＲＱ方式では前記以前パケットデータに対するＡＣＫを受信しない状態で、多数のパケットデータを連続的に伝送してチャネルの使用効率を高めることができる。即ち、端末機と基地局間にｎ個の論理的なチャネル(Logical Channel)を設定し、特定時間、またはチャネル番号に前記ｎ個のチャネルそれぞれを識別可能であると、パケットデータを受信するようになる前記端末機は、任意の時点で受信したパケットデータがどのチャネルを通じて伝送されたパケットデータであるかを知ることができ、受信されるべきである順序通りパケットデータを再構成するか、該当パケットデータをソフトコンバイン(soft combining)するなど、必要な処置を取ることができる。
【０００６】
３．ＦＣＳ方式
前記ＦＣＳ方式は前記ＨＳＤＰＡ方式を使用している端末機がセル重畳地域、即ちソフトハンドオーバ(soft handover)領域に位置する場合、複数個のセル中、チャネル状態がよいセルを速く選択する方法である。前記ＦＣＳ方式は具体的に、(１) 前記ＨＳＤＰＡを使用している端末機が以前基地局と新しい基地局間のセル重畳地域に進入する場合、前記端末機は複数のセル、即ち複数個の基地局との無線リンク(Radio Link)を設定する。この時、前記端末機と無線リンクを設定したセルの集合をアクティブセット(active set)という。(２) 前記アクティブセットに含まれたセル中で一番良好なチャネル状態を維持しているセルのみからＨＳＤＰＡ用パケットデータを受信して全体的な干渉(interference)を減少させる。ここで、前記アクティブセットでチャネル状態が一番良好であり、ＨＳＤＰＡパケットデータを伝送するセルをベストセル(best cell)という。前記端末機は前記アクティブセットに属するセルのチャネル状態を周期的に検査して現在ベストセルよりチャネル状態がよいセルが発生する場合、前記現在のベストセルを新しい発生したチャネル状態がよいセルに代わるために、ベストセル指示者(Best Cell Indicator)などを前記アクティブセットに属しているすべてのセルに伝送する。前記ベストセル指示者には新しいベストセルに選択されたセルの識別者が含まれて伝送され、これに前記アクティブセット内のセルは前記ベストセル指示者を受信し、前記ベストセル指示者に含まれたセル識別者を検査する。前記アクティブセット内のセルそれぞれは前記ベストセル指示者が自分に該当するベストセル指示者であるかを検査し、前記検査結果、ベストセルに選択された該当セルはＨＳ−ＤＳＣＨを利用して前記端末機にパケットデータを伝送する。
【０００７】
上述したように、前記ＨＳＤＰＡでは前記新しく導入された方案、即ちＡＭＣ方式と、ＨＡＲＱ方式と、ＦＣＳ方式を使用するために、端末機と基地局間に次のような新しい制御信号を交換する必要がある。一番目に、前記ＡＭＣを支援するためには、端末機が端末機自分と基地局間のチャネルに対する情報を前記基地局に知らせるべきであり、前記基地局は前記端末機から受信したチャネルに対する情報を有して、そのチャネル状況に応じて決定されたＭＣＳレベル(level)を前記端末機に知らせるべきである。二番目に、前記ｎチャネルＳＡＷ ＨＡＲＱを支援するためには、端末機が基地局に認知(ＡＣＫ)、または否定的認知(ＮＡＣＫ:Negative Acknowledgement)信号を伝送すべきであり、前記基地局はｎチャネルＳＡＷに対する情報を端末機に伝送すべきである。前記ｎチャネルＳＡＷに対する情報はチャネル番号(channel number)と新規／再伝送(new/continue)フラグ(flag)になることができ、または前記伝送されるパケットデータのシーケンス番号(ＳＮ:Sequence number)になることができる。三番目に、前記ＦＣＳを支援するためには、前記端末機が一番チャネル状態の良好なチャネルを提供する基地局、即ちベストセルを指示するベストセル指示者を前記基地局に伝送すべきである。また前記ベストセルがチャネル状況に応じて変わる場合、その時点で前記端末機のパケットデータ受信状況を前記基地局に知らせるべきであり、前記基地局は前記端末機が前記ベストセルを正確に選択することができるように必要な情報を提供すべきである。
【０００８】
前記ＭＣＳレベル情報とＨＡＲＱのための情報、即ちチャネル番号と新規／再伝送(new/continue)フラグなどのＨＡＲＱのための情報及び前記ＦＣＳに関する情報は、基地局がデータを伝送する端末機を選択した後、前記選択された端末機に前記データを伝送する前に先ず伝送すべきである。このように前記情報を前記データの伝送前に伝送することにより、前記基地局と前記端末機が前記情報を利用して同一の動作を遂行することができる。ここで、前記情報を前記端末機に伝送する方法は、現在ＨＳＤＰＡ方式で二つに大別されている。その一番目の方法は２ステップ方法であり、二番目の方法は１ステップ方法である。先ず、一番目の方法である前記２ステップ方法について図１を参照して説明する。
【０００９】
前記図１は通常的な高速順方向パケット接続方式で、高速順方向パケット接続情報を伝達する２ステップ方法を適用する場合の概略的なチャネル構造を示した図である。
【００１０】
先ず、前記図１では３個の端末機が前記ＨＳＤＰＡサービスを受けており、２個の共通制御チャネル(Shared Control CHannel、以下、ＳＨＣＣＨ)が割り当てられており、３個の高速順方向物理共通チャネル(High Speed-Physical Downlink Shared CHannel、以下、ＨＳ−ＰＤＳＣＨ)が割り当てられている場合を仮定する。前記ＳＨＣＣＨは前記ＨＳＤＰＡサービスを支援するために新しく提案された共通チャネルとして、前記ＨＳＤＰＡデータを受信する端末機に伝送されるべきである制御情報を伝送するためのチャネルである。例えば、高速共通制御チャネル(ＨＳ−ＳＣＣＨ:High Speed-Shared Control CHannel)が代表的なＳＨＣＣＨである。前記ＨＳ−ＰＤＳＣＨは前記ＨＳ−ＤＳＣＨを伝送するための物理チャネル(Physical channel)として、前記ＨＳ−ＰＤＳＣＨはスクランブリングコード(scrambling code)と直交可変拡散ファクタ(ＯＶＳＦ:Orthogonal Variable Spreading Factor)コードを利用して区分される。前記ＨＳＤＰＡサービスを提供する場合、前記ＨＳ−ＰＤＳＣＨは一つ以上の割り当てが可能であり、各ＨＳ−ＰＤＳＣＨコードに対する情報をすべての端末機が知っているべきである。
【００１１】
前記図１に示したように、前記ＨＳＤＰＡデータは伝送時区間(Transmission Time Interval、以下、ＴＴＩ)単位に伝送され、ＴＴＩごとに前記ＨＳＤＰＡデータを受信する端末機を基地局が選択し、専用物理チャネル(Dedicated Physical CHannel、以下、ＤＰＣＨ)を通じて該当端末機に受信するＨＳＤＰＡデータが存在することを知らせる。ここで、前記該当端末機に前記ＨＳＤＰＡデータが伝送されることを知らせるために、前記基地局が該当端末機と基地局間に設定されているＤＰＣＨのＴＴＩごとに高速順方向パケット接続指示者(ＨＳＤＰＡ Indication、以下、ＨＩ)を通じて対応する情報を提供する。前記ＨＩは各端末機に割り当てられたＤＰＣＨを通じて伝送され、前記ＨＩの特定ビット(bit)が予め設定した値を有している場合には、前記端末機がＨＩを受信した時点のすぐ次のＴＴＩでＨＳＤＰＡデータを受信することを示し、前記ＨＩの特定ビットが前記予め設定した値を有していない場合には、前記ＨＩを受信した時点のすぐ次のＴＴＩでは前記端末機がＨＳＤＰＡデータを受信しないことを示す。
【００１２】
従って、前記端末機は前記ＤＰＣＨのＴＴＩごとに前記ＨＩを受信して、受信するＨＳＤＰＡデータが存在するかを判断する。結局、前記基地局が前記端末機に伝送するデータが存在する場合、前記ＨＩの特定ビットに前記ＨＳＤＰＡデータが受信されることを、即ち存在することを示す設定値をセッティング(setting)して伝送する。前記端末機は前記ＨＩを受信して前記ＨＩを受信した時点のすぐ次のＴＴＩに前記ＨＳＤＰＡデータが受信されることを感知するものである。前記図１では実際には前記端末機別に、即ちＵＥ１、ＵＥ２、ＵＥ３別に割り当てられたＤＰＣＨで前記ＨＩがＴＴＩ別に受信されるが、説明の便宜のため、実際前記端末機別にＨＳＤＰＡデータが存在する場合のＨＩのみを示した。
【００１３】
このように前記ＨＳＤＰＡデータが受信されることを感知した前記端末機は、前記すぐ次のＴＴＩに伝送されるＳＨＣＣＨを検索する。前記ＳＨＣＣＨが多数個に設定された場合、ＵＥを区分するためにＳＨＣＣＨにＵＥ ＩＤを入れることができる。従って、前記ＵＥは多数のＳＨＣＣＨ中、自分が有しているＵＥ ＩＤと同一のＵＥ ＩＤを有して伝送するＳＨＣＣＨ内の情報を受信する。一方、前記ＨＩが上述したように該当端末機に受信するＨＳＤＰＡデータが存在するかを示す情報のみを伝送する場合には、前記ＳＨＣＣＨ内に端末機それぞれを区分するためのＵＥ ＩＤを伝送すべきであるが、前記ＨＩが前記該当端末機に受信するＨＳＤＰＡデータが存在するか否かを示す情報と、前記該当端末機が受信すべきであるＳＨＣＣＨに対する情報を含む場合には、前記ＳＨＣＣＨ内に前記多数の端末機それぞれを区分するための前記ＵＥ ＩＤを伝送しないこともできる。前記ＳＨＣＣＨ情報を受信したＵＥは、該当ＴＴＩ内のＨＳＤＰＡデータを受信する。ここで、前記ＳＨＣＣＨ内の情報にはＵＥ ＩＤ、ＭＣＳレベル、ＨＡＲＱ情報などがあり、前記図１には前記ＳＨＣＣＨの情報とＨＳＤＰＡデータを同一のＴＴＩで伝送する場合を仮定した。しかし、ＵＥの受信バッファー(buffer)の数を最小化するために、前記ＳＨＣＣＨ情報をＨＳ−ＰＤＳＣＨより先に伝送することが提案されており、この場合、端末機はＤＰＣＨのＨＩとＳＨＣＣＨを同時に受信することもできる。
【００１４】
次に、二番目の方法である前記１ステップ方法について図２を参照して説明する。
前記図２は通常的な高速順方向パケット接続方式で高速順方向パケット接続情報を伝達する１ステップ方法を適用する場合の概略的なチャネル構造を示した図である。前記図２でも３個の端末機が前記ＨＳＤＰＡサービスを受けており、２個のＳＨＣＣＨが割り当てられており、３個のＨＳ−ＰＤＳＣＨが割り当てられている場合を仮定する。
【００１５】
前記図２に示したように、前記１ステップ方法では各ＵＥが受信するＤＰＣＨを通じて前記ＨＩ情報が伝送されない。従って、すべてのＵＥは続けて前記ＳＨＣＣＨ信号を受信すべきであり、前記ＳＨＣＣＨは該当ＨＳＤＰＡ情報が伝送されるべきである端末機を指定するためにＵＥ ＩＤを含むべきである。前記端末機は前記ＳＨＣＣＨ信号を受信し、前記受信したＳＨＣＣＨ信号が自分のＵＥ ＩＤを含めている場合に、そのＳＨＣＣＨ信号を解釈し、これを利用して該当ＨＳ−ＰＤＳＣＨのデータを受信する。
【００１６】
ここで、前記ＨＳＤＰＡサービスを支援するために前記基地局から端末機に伝送されるべきである情報を説明すると、下記｛情報グループ１｝のようである。
【００１７】
｛情報グループ１｝
１) ＨＩ:端末機が受信すべきであるＨＳＤＰＡデータが存在するか否かを知らせる。
２) ＭＣＳレベル情報:ＨＳ−ＤＳＣＨ変調に使用するＡＭＣ方式を知らせる。
３) ＨＳ−ＤＳＣＨチャネル化コード(channelization code)情報:ＨＳ−ＤＳＣＨで特定端末機のため使用されたチャネル化コードに関連された情報を知らせる。
４) ＨＡＲＱプロセッサ(processor)番号:ｎチャネルＳＡＷ ＨＡＲＱを使用する場合、ＨＡＲＱのための論理チャネル中で特定のパケットデータが伝送されるチャネルを知らせる。ここで、前記ＨＡＲＱプロセッサ番号情報を知らせる理由は下記のようである。前記ｎチャネルＳＡＷ ＨＡＲＱを使用する場合、前記チャネルの個数、即ちｎに該当する個数だけのＨＡＲＱプロセッサが提供されるべきである。従って、該当パケットデータが所定チャネルを通じて伝送され、その伝送されたパケットデータに誤りが発生する場合、その誤り発生したパケットデータの伝送チャネルに該当するＨＡＲＱプロセッサ番号を知るべきである。即ち、前記チャネル番号に対応するＨＡＲＱプロセッサで該当チャネルを通じて伝送されたパケットデータ中で、誤りが発生したパケットデータに対する再伝送処理を遂行するものである。
５) ＨＡＲＱパケットデータ番号:ＦＣＳでベストセルが変わる場合、前記端末機が新しい選択されたベストセルに前記ＨＳＤＰＡデータの伝送状態を知らせるようにするために、順方向パケットデータの番号を前記端末機に知らせる。ここで、前記パケットデータはシーケンス番号を有しているので、前記シーケンス番号を有して識別可能である。
６) ＵＥ ＩＤ(Identification):前記情報の一部を通じて伝送され、前記ＳＨＣＣＨが一つ以上である場合、ＵＥ ＩＤを利用して前記ＳＨＣＣＨが該当端末機に対する制御情報であるかを知らせる。
【００１８】
上述した｛情報グループ１｝以外にも前記ＨＳＤＰＡサービスを支援するために伝送されるべきである情報には、逆方向送信電力オフセット(uplink transmit power offset)値が含まれることができる。これは前記端末機が周辺の基地局、即ち現在ベストセルではなくアクティブセットに属する基地局に選択されたベストセルを知らせる時、各基地局が前記端末機からのベストセル情報を正確に受信できるように、逆方向送信電力にオフセットを増加させ伝送すべきである場合が発生できるが、この場合、前記逆方向送信電力オフセット値は前記基地局から端末機に提供される。また前記伝送されるべきである情報中にＨＡＲＱ動作時、再伝送を示す情報、また再伝送の順序を示す情報が伝送されることができる。
【００１９】
前記情報は端末機別に与えられる情報としてＨＳ−ＤＳＣＨ信号を該当端末機に伝送する場合、前記ＨＳ−ＤＳＣＨ信号伝送より先に前記端末機に伝送されるべきである。前記ＨＳ−ＤＳＣＨ信号、即ち実質的なパケットデータ伝送前に前記情報を伝送する方法が必要になる。また、現在移動通信システム中、非同期方式を使用する移動通信システムでは、前記ＨＳＤＰＡ方式で使用される情報のようにサービスを受けているすべての端末機を共有して使用する情報を放送(broadcasting)する方法が存在しない。そのため、前記ＨＳＤＰＡ方式を使用することにおいて、前記基地局、または基地局制御器が生成したＨＳＤＰＡ情報を前記すべての端末機に適用するための必要性が要求された。
【００２０】
【発明が解決しようとする課題】
従って、本発明の目的は高速順方向パケット接続方式を使用する通信システムで、同一の高速順方向パケット接続サービスを受けているすべての端末機に共通的に適用される情報を伝送する方法を提供することにある。
【００２１】
本発明の他の目的は、高速順方向パケット接続方式を使用する通信システムで、同一の高速順方向パケット接続サービスを受けているすべての端末機に共通的に適用される情報を伝送して同一時点で前記すべての端末機が前記情報を適用するようにする方法を提供することにある。
【００２２】
【課題を解決するための手段】
上述した目的を達成するための本発明の送信方法は、高速順方向パケット接続方式を使用する符号分割多重接続通信システムで多数の端末機中、少なくとも２個以上の端末機に共通情報を送信する方法において、前記共通情報が発生すると、前記共通情報であることを示す共通アイディ情報を含む制御情報を共通制御チャネルを通じて伝送する過程と、前記制御情報が伝送される伝送時区間と同一、またはその以後の伝送時区間で前記共通情報を共通制御チャネルを通じて伝送する過程と、を含むことを特徴とする。
【００２３】
上述した目的を達成するための本発明の受信方法は、高速順方向パケット接続方式を使用する符号分割多重接続通信システムで多数の端末機中、少なくとも２個以上の端末機に共通的に適用される共通情報を受信する方法において、
【００２４】
伝送時区間ごとに専用チャネルを受信し、前記受信された専用チャネル信号が前記共通情報を示す共通アイディ情報を含む制御情報が伝送されることを示す識別者を含む場合、前記専用チャネル信号が受信される伝送時区間で、またその以後の伝送時区間で共通制御チャネル信号を受信する過程と、前記受信された共通制御チャネル信号に前記制御情報が含まれる場合、前記共通制御チャネル信号が受信された伝送時区間と同一、またその以後の伝送時区間で共通データチャネル信号を受信する過程と、前記受信された共通制御チャネル信号から前記共通情報を検出して、高速順方向パケット接続サービスを遂行する過程と、を含むことを特徴とする。
【００２５】
【発明の実施形態】
以下、本発明の望ましい実施形態について添付図を参照しつつ詳細に説明する。下記の発明において、本発明の要旨のみを明瞭にする目的で、関連した公知機能又は構成に関する具体的な説明は省略する。
【００２６】
先ず、本発明の説明前に、下記の情報グループ２と関連された部分を説明する。高速順方向パケット接続(High Speed Downlink Packet Access、以下、ＨＳＤＰＡ)を使用するシステムにおいて、前記従来技術部分で説明したように基地局(Node B)が使用者端末機(ＵＥ:User Equipment)に伝送すべきである情報、即ち｛情報グループ１｝以外に、本発明の実施形態による基地局制御器(Radio Network Controller、以下、ＲＮＣ)から端末機に伝送すべきである情報は下記｛情報グループ２｝のようである。
【００２７】
｛情報グループ２｝
１) 高速順方向物理共通チャネル(High Speed-Physical Downlink Shared CHannel、以下、ＨＳ−ＰＤＳＣＨ)コード(code)情報(ＨＳ−ＰＤＳＣＨ code information):高速順方向共通チャネル(High Speed-Downlink Shared CHannel、以下、ＨＳ−ＤＳＣＨ)を伝送するためのセルに割り当てられた順方向(Downlink)コード情報である。前記ＨＳ−ＰＤＳＣＨは前記ＨＳ−ＤＳＣＨを伝送する物理チャネル(Physical channel)を示し、前記ＨＳ−ＰＤＳＣＨはスクランブリングコード(scrambling code)と直交可変拡散ファクタ(Orthogonal Variable Spreading Factor、以下、ＯＶＳＦ)コードを利用して区分される。前記ＨＳＤＰＡサービスを提供する場合、前記ＨＳ−ＰＤＳＣＨは一つ以上の割り当てが可能であり、各ＨＳ−ＰＤＳＣＨコードに対する情報をすべての端末機が知っているべきである。
２) 共通制御チャネル(Shared Control CHannel、以下、ＳＨＣＣＨ)コード情報(ＳＨＣＣＨ code information):前記ＳＨＣＣＨは共通制御チャネルとして前記ＨＳＤＰＡサービスを提供する場合、一つ以上の割り当てが可能であり、各ＳＨＣＣＨコードに対する情報もすべての端末機が知っているべきである。前記ＳＨＣＣＨコード情報も前記ＨＳ−ＰＤＳＣＨのように、スクランブリングコードとＯＶＳＦコードを利用して区分される。
３) ＨＳ−ＰＤＳＣＨコード電力レベル(code power level)情報:ＨＳ−ＰＤＳＣＨコード電力レベル情報は共通パイロットチャネル(Common Pilot CHannel、以下、ＣＰＩＣＨ)コード電力レベルに対する相対的な電力値に定義されるか、または絶対的な電力値に定義されることができ、前記ＨＳ−ＰＤＳＣＨコード電力レベルはＨＳ−ＤＳＣＨを復調するのに使用される値であり、すべての端末機は実質的なパケットデータの受信前に前記ＨＳ−ＰＤＳＣＨコード電力レベルを予め知っているべきである。前記ＨＳＤＰＡ方式を支援するために、前記ＲＮＣから前記端末機に伝送される情報は、前記｛情報グループ２｝で説明した情報以外にも、ＨＡＲＱに関連された情報とＭＣＳに関連された情報が前記すべての端末機が予め知っているべき情報に追加存在できることは勿論である。前記｛情報グループ１｝及び｛情報グループ２｝などのように前記ＨＳＤＰＡサービスを遂行するために必要な情報を“ＨＳＤＰＡ情報”という。
【００２８】
前記｛情報グループ２｝で説明した情報は、前記ＲＮＣが決定し、前記ＲＮＣが決定した情報は前記基地局に伝達される。これに前記基地局は前記ＲＮＣから受信した情報、即ちＨＳＤＰＡ情報に基づいてＨＳＤＰＡサービスを提供し、また前記基地局は前記情報を前記ＨＳＤＰＡサービスを受けているすべての端末機に伝送して、前記すべての端末機が前記ＨＳＤＰＡ情報に基づいてＨＳＤＰＡサービスを支援できるようにする。前記情報グループ２は、前記ＲＮＣがセル(cell)の状況を考慮して変更することができ、このようにセルの状況に応じて変更された情報は基地局とＨＳＤＰＡサービスを受けているすべての端末機に伝送されるべきである。そして前記変更された情報は基地局とすべての端末機で同一の時点に適用されるべきである。また、本発明の実施形態による前記｛情報グループ２｝で説明した情報が状況に応じて変更されると、前記｛情報グループ１｝で説明した情報も変更されることができることに注意すべきである。また本発明では前記ＨＳＤＰＡサービスを受けているすべての端末機、または前記ＨＳＤＰＡサービスを受けている一部端末機に同一のＨＳＤＰＡ情報を伝送する場合、前記同じ情報を“共通情報(common information)”という。ここで、前記一部端末機とは一例に前記ＨＳＤＰＡサービスを受けている端末機を前記ＨＳＤＰＡサービスの種類に応じてグループ化した端末機を意味する。
【００２９】
図３は本発明の実施形態での機能を遂行するための高速順方向パケット接続サービスを遂行する通信システムの概略的な構成を示した図である。
【００３０】
前記図３を参照すると、ＲＮＣ３００で前記共通情報を生成し、前記生成した共通情報を基地局３５０に伝送すると、前記基地局３５０が端末機３８０に前記共通情報を伝送する階層(layer)構造が示されている。先ず、前記ＲＮＣ３００は前記共通情報を基地局アプリケイションプロトコール(ＮＢＡＰ:Node B Application Protocol)メッセージを利用して前記基地局３５０に伝送する。前記図３で前記ＲＮＣ３００は前記ＮＢＡＰメッセージを伝送する下位階層を非同期伝送モード適応階層５／非同期伝送モード(ＡＡＬ５:ATM Adaptive Layer５)／ＡＴＭ(Asynchronous Transfer Mode)に使用しているが、以後、通信技術の発展に応じて前記ＮＢＡＰメッセージを伝送する下位階層は変形可能であり、一例に前記ＮＢＡＰメッセージはインタネットプロトコール(ＩＰ:Internet Protocol)を利用して伝送可能である。
【００３１】
前記ＲＮＣ３００から前記ＮＢＡＰメッセージを通じて共通情報を受信した基地局３５０は、前記受信した共通情報に従って現在のＨＳＤＰＡサービスを再構成し、前記再構成されたＨＳＤＰＡサービスに対する情報、即ち共通情報を無線資源制御(Radio Resource Controller、以下、ＲＲＣ)メッセージを利用して端末機３８０に再伝送する。ここで、前記基地局３５０は前記共通情報を含むＲＲＣメッセージを一度だけではなく、信頼性を増加させるため多数回反復伝送することも可能である。前記基地局３５０は前記ＲＲＣメッセージを生成した後、これを無線リンク制御(Radio Link Control、以下、ＲＬＣ)階層と媒体接続制御(Medium Access Control、以下、ＭＡＣ)階層を通じて前記端末機３８０に無線上に伝送する。前記基地局３５０で無線上に伝送した共通情報を含むＲＲＣメッセージを受信した端末機３８０は、前記共通情報を利用して前記ＨＳＤＰＡサービスを続けて遂行する。
【００３２】
図４は本発明の一実施形態に従って基地局制御器から基地局に共通情報を伝送する過程を示した信号流れ図である。
【００３３】
前記図４を参照すると、ＲＮＣ、即ち制御無線ネットワーク制御器(ＣＲＮＣ:Controlling ＲＮＣ)３００は前記基地局３５０を制御するＲＮＣとして、前記ＣＲＮＣ３００は前記共通情報を伝送するために新しいＮＢＡＰメッセージ伝送過程を定義する。即ち、前記ＣＲＮＣ３００は前記基地局３５０に前記共通情報を伝送するためのＮＢＡＰメッセージに定義する。本発明の一実施形態では前記共通情報を伝送するためのＮＢＡＰメッセージとして高速順方向パケット接続再構成要求(ＨＳＤＰＡ reconfiguration request)メッセージを定義する。このように前記ＣＲＮＣ３００で高速順方向パケット接続再構成要求メッセージを前記基地局３５０に伝送すると(４１１段階)、前記基地局３５０は前記高速順方向パケット接続再構成要求を受信し、これに対する応答として高速順方向再構成応答(ＨＳＤＰＡ Reconfiguration Response)メッセージを前記ＣＲＮＣ３００に伝送する(４１３段階)。
【００３４】
前記共通情報を伝送するための高速順方向パケット接続再構成要求メッセージの構造について図５を参照して説明する。
【００３５】
前記図５は図４の高速順方向パケット接続再構成要求メッセージの構造を示した図である。前記図５を参照すると、高速順方向パケット接続再構成要求メッセージの形態は３ＧＰＰ標準文書中、ＴＳ２５.４３３に示されている。しかし、前記共通情報の伝送が可能であれば、基地局と基地局間制御器間に予め規約されていると、そのメッセージフォーマットは関係ない。図５で、一番目の列(column)は伝送される情報の情報名(IE/Group Name)を示し、二番目の列は前記伝送される情報の存在有無に対する必然性を示し、三番目の列は前記情報の反復回数を示し、四番目の列は前記情報の具体的な値の範囲、または前記情報の参考情報を得ることができる前記標準文書(ＴＳ２５.４３３)内での位置を示し(ここで、maxnoSHCCHcodeはＳＨＣＣＨで割り当て可能な直交符号の最大値を意味し、maxnoHS-SHCCHcodeはＨＳ−ＳＨＣＣＨで割り当て可能な直交符号の最大値を意味する)、五番目の列は伝送される共通情報に対する説明(semantics description)を示し、六番目の列は前記情報のクリティカリティ(Criticality)の適用範囲を示し、最後に七番目の列は前記クリティカリティ(Criticality)の種類を示す。
【００３６】
すると、前記図５に示したそれぞれの情報に対して説明する。
一番目に、前記図５で“Configuration version number”は前記共通情報のバージョン(version)を示し、前記バージョンナンバ(version number)は端末機に前記共通情報が伝送される時に共に伝送される。すると、前記Configuration version numberを受信した端末機は、前記Configuration version numberを分析して、前記端末機自分が前記ＨＳＤＰＡサービスのため現在貯蔵しているバージョンナンバと比較し、前記比較結果、前記受信したバージョンナンバと前記貯蔵しているバージョンナンバが相異なる場合は、以後のＨＳＤＰＡサービスのための情報が現在ＨＳＤＰＡサービスのための情報と相異であることを意味する。従って前記端末機は前記ＨＳＤＰＡサービスのための新しい情報を構成するようになる。
【００３７】
二番目に、前記図５で“ＳＨＣＣＨ Code information”は前記ＳＨＣＣＨのコードに対する情報である。前記図５でＳＨＣＣＨコード情報の具体的な値は、順方向コード情報(DL Code Information)に表現可能であり、前記順方向コード情報は必要なＳＨＣＣＨ個数だけ定義されることができる。ここで、前記順方向コード情報は前記標準文書(ＴＳ ２５.４３３)に示されているＦＤＤ ＤＬコード情報のような範囲の値を有することができる。そして前記順方向コード情報は前記定義されたＳＨＣＣＨコードのスクランブリングコード情報とチャネル区分コード情報を含む。
【００３８】
三番目に、前記図５で“ＨＳ−ＰＤＳＣＨコード情報”は前記ＨＳ−ＰＤＳＣＨのコードに対する情報である。前記ＨＳ−ＰＤＳＣＨコード情報の具体的な値は順方向コード情報に表現可能であり、前記順方向コード情報は設定されたＨＳ−ＰＤＳＣＨコード個数だけ定義されることができる。
【００３９】
四番目に、前記図５で“ＨＳ−ＰＤＳＣＨ電力情報(power Information)”はＨＳ−ＰＤＳＣＨに割り当てられた全体電力(power)値を示し、前記電力値は標準文書(ＴＳ ２５.４３３)に示されている順方向電力(DL Power)と同じ範囲の値を有することができる。
【００４０】
最後に、前記図５で“システムフレーム番号(System Frame Number、以下、ＳＦＮ)”は前記共通情報を基地局が適用すべきである時点を示す値であり、前記ＳＦＮは前記ＲＮＣ、即ちＣＲＮＣが設定することもでき、前記基地局自分が設定することもできる。また、前記図５のＨＳＤＰＡ再構成要求メッセージ構造で、前記二番目列の値がＭ(Mandatory)に設定されている場合は、該当情報が常に存在する場合であり、前記二番目列の値がＯ(Optional)に設定されている場合は、該当情報が状況に応じて存在することもでき、または存在しないこともできる場合である。
【００４１】
従って、前記ＳＦＮは二番目列がＯ値を有するので、前記ＳＦＮは存在することもでき、または存在しないこともできる。先ず、前記ＳＦＮが存在する場合は、前記ＲＮＣが前記基地局に対応するＳＦＮに前記共通情報を適用することを要求する場合であるので、前記基地局は前記ＲＮＣから前記ＳＦＮを受信する場合、前記ＳＦＮが示す時点で前記共通情報を適用してＨＳＤＰＡサービスを遂行すべきである。また前記基地局は前記ＳＦＮ値と同一の値を端末機に伝送して、前記基地局と端末機が同時に前記共通情報を適用してＨＳＤＰＡサービスを遂行するようにする。次に、前記ＳＦＮが存在しない場合は、前記ＲＮＣが特別なＳＦＮを伝送しない場合であり、この場合、前記基地局は基地局自分が選択したＳＦＮが示す時点で前記共通情報を適用してＨＳＤＰＡサービスを遂行するようにし、また前記共通情報を適用する時点を示すＳＦＮを前記端末機に伝送して前記共通情報を適用する時点を知らせて、前記端末機が前記共通情報を適用してＨＳＤＰＡサービスを遂行するようにする。
【００４２】
前記図５で説明したＨＳＤＰＡ再構成要求メッセージの構造は、共通情報をＣＲＮＣが基地局に伝送して基地局が前記共通情報を特定ＳＦＮで適用してＨＳＤＰＡサービスを遂行するようにし、また前記共通情報を端末機に伝送して前記端末機が前記共通情報を適用してＨＳＤＰＡサービスを遂行するようにする場合を仮定した場合のＮＢＡＰメッセージ構造である。
【００４３】
しかし、前記図４及び図５での説明とは異なり、既存の共通情報で修正された部分のみを伝送する他の共通情報方法が存在する。この場合、前記図５に示したＨＳＤＰＡ再構成要求メッセージ構造で各情報が新しい修正された部分のみを示すようにする。一例に、前記ＳＨＣＣＨコード情報の場合、新しい追加されるＳＨＣＣＨコード情報、または削除されるＳＨＣＣＨコード情報のみを伝送するものである。
【００４４】
前記図４乃至図５を参照して前記ＲＮＣから基地局にＮＢＡＰメッセージを利用して前記共通情報を伝送する過程を説明した。次に前記ＲＮＣから受信した共通情報を示すＲＲＣメッセージを基地局から端末機に伝送する過程について図６及び図７を参照して説明する。
【００４５】
前記図６は本発明の他の実施形態による基地局と端末機間の共通情報を伝送する過程を示した信号流れ図である。
【００４６】
前記図６を参照すると、前記図４で説明したように前記基地局３５０は前記ＲＮＣ３００からＮＢＡＰメッセージであるＨＳＤＰＡ再構成要求メッセージを通じて共通情報を受信すると、前記受信した共通情報を該当端末機３８０に伝送すべきである。その結果、前記共通情報が前記基地局３５０と前記端末機３８０で同時に共通に適用され、ＨＳＤＰＡサービスを遂行することができる。前記図６では説明の便宜上、基地局３５０が端末機３８０のみに前記共通情報を伝送する場合を説明したが、上述したように前記基地局３５０はＨＳＤＰＡサービスを受けているすべての端末機、または一部端末機に前記共通情報を伝送すべきである。
【００４７】
前記基地局３５０が前記共通情報を前記端末機３８０に伝送するために、本発明の実施形態で前記基地局３５０は新しいＲＲＣメッセージ伝送過程を定義する。即ち、前記基地局３５０で前記端末機３８０に前記共通情報を伝送するためのＲＲＣメッセージを定義するものである。本発明の一実施形態では前記共通情報を伝送するためのＲＲＣメッセージとして高速順方向パケット接続再構成(ＨＳＤＰＡ reconfiguration)メッセージを定義する。このように前記基地局３５０でＨＳＤＰＡ再構成メッセージを前記端末機３８０に伝送すると(６１１段階)、前記端末機３８０は前記ＨＳＤＰＡ再構成メッセージを受信する。ここで、前記ＲＲＣメッセージであるＨＳＤＰＡ再構成メッセージは、一定の大きさのパケット(Packet)に分割されるか、または一つのパケットに構成される。一方、前記端末機３８０は前記ＨＳＤＰＡ再構成メッセージに含まれている共通情報を検出し、前記検出した共通情報を利用してＨＳＤＰＡサービスを遂行する。
【００４８】
そして前記共通情報を伝送するためのＨＳＤＰＡ再構成メッセージの構造について図７を参照して説明する。
【００４９】
前記図７は図６の高速順方向パケット接続再構成メッセージの構造を示した図である。前記図７を参照すると、前記ＨＳＤＰＡ再構成メッセージ構造は、３ＧＰＰ標準文書中、ＴＳ ２５.３３１に示されている。しかし前記共通情報の伝送が可能であれば、基地局と端末機間に予め規約されていると、そのメッセージフォーマットは関係ない。前記ＨＳＤＰＡ再構成メッセージの構造は前記図５で説明したＨＳＤＰＡ再構成要求メッセージ構造と同一であり、前記基地局３５０は前記ＲＮＣ３００から受信したＨＳＤＰＡ再構成要求メッセージに含まれている共通情報を利用して前記ＨＳＤＰＡ再構成メッセージに再生成して前記端末機３８０に伝送する。そのため、前記図７に示した前記ＨＳＤＰＡ再構成メッセージ構造のすべてのパラメータは、前記図５で説明したＨＳＤＰＡ再構成要求メッセージ構造のすべてのパラメータと同一の役割を遂行するので、ここでは詳細な説明を省略する。
【００５０】
次に、前記基地局がＨＳＤＰＡサービスを遂行しているすべての端末機に対して共通情報を同時に伝送する場合、即ち前記同一の共通情報を放送する場合を図８及び図９を参照して説明する。
【００５１】
前記図８及び図９を説明することにおいて、３個の端末機が前記ＨＳＤＰＡサービスを受けており、２個のＳＨＣＣＨが割り当てられており、３個のＨＳ−ＰＤＳＣＨが割り当てられている場合を仮定する。前記ＳＨＣＣＨは前記ＨＳＤＰＡサービスのために新しく提案された共通チャネルとして、前記ＨＳＤＰＡデータを受信する端末機に伝送されるべきである制御情報を伝送するためのチャネルである。前記ＨＳ−ＰＤＳＣＨは高速順方向共通チャネル(ＨＳ−ＤＳＣＨ:High Speed-Downlink Shared CHannel)を伝送するための物理チャネル(Physical channel)として、前記ＨＳ−ＰＤＳＣＨはスクランブリングコードとＯＶＳＦコードを利用して区分される。前記ＨＳＤＰＡサービスを提供する場合、前記ＨＳ−ＰＤＳＣＨは一つ以上の割り当てが可能であり、各ＨＳ−ＰＤＳＣＨコードに対する情報をすべての端末機が知っているべきである。勿論、本発明はＬ個の端末機、Ｍ個のＳＨＣＣＨ、及びＮ個のＨＳ−ＰＤＳＣＨに対しても適用可能である。そして、前記図８と図９では基地局がｎ＋２番目の伝送時区間(Transmission Time Interval、以下、ＴＴＩ)とｎ＋５番目のＴＴＩで端末機に共通情報を伝送する場合を仮定する。
【００５２】
前記図８は本発明のさらに他の実施形態による高速順方向パケット接続通信システムで、高速順方向パケット接続情報を２ステップ方法を利用して伝達する場合の概略的なチャネル構造を示した図である。前記図８を参照すると、ｎ＋２番目のＴＴＩで共通情報を伝送することを決定した基地局は、ｎ＋１番目のＴＴＩで各端末機の専用物理チャネル(Dedicated Physical CHannel、以下、ＤＰＣＨ)を利用して該当スロット(slot)に高速順方向パケット接続指示者(ＨＳＤＰＡ Indication、以下、ＨＩ)を伝送する。この時、基地局はすべての端末機にＨＩを伝送する。ここで、前記ＨＩは前記図８で説明の便宜のために、ＨＳＤＰＡデータが実際に存在するＴＴＩに対してのみＨＩを示したが、実際には前記ＨＳＤＰＡデータがＴＴＩ単位に伝送可能であるので、ＴＴＩごとに前記ＨＳＤＰＡデータを受信する端末機を基地局が選択し、ＤＰＣＨを通じて該当端末機に受信するデータが存在するかを前記ＨＩを通じて知らせる。ここで、前記ＨＩは各端末機に割り当てられたＤＰＣＨを利用して伝送され、前記ＨＩの特定ビット(bit)が予め設定した値を有している場合には、前記ＨＩを受信した時点のすぐ次のＴＴＩで前記端末機にＨＳＤＰＡデータが受信されることを示し、前記ＨＩの特定ビットが前記予め設定した値を有していない場合には、前記ＨＩを受信した時点のすぐ次のＴＴＩでは前記端末機にＨＳＤＰＡデータが受信されないことを示す。
【００５３】
また前記基地局はｎ＋２番目のＴＴＩ ＨＳ−ＰＤＳＣＨの情報を伝送するｎ＋２番目のＴＴＩ内のＳＨＣＣＨを通じて該当情報を伝送する。この時、基地局はすべての端末機に共通情報が伝送されることを知らせるために、予め設定された共通端末機アイディ(common ＵＥ ＩＤ:以下、共通ＵＥ ＩＤ)を使用する。前記共通ＵＥ ＩＤは定義可能なＵＥ ＩＤ中、特定の一つのＵＥ ＩＤを共通ＵＥ ＩＤに予め設定することができる。ここで、前記共通ＵＥ ＩＤ情報が特定の固定値である場合には、前記共通ＵＥ ＩＤ情報をすべてのＵＥに予め伝送して前記すべてのＵＥが予め識別するようにする。前記共通ＵＥ ＩＤが固定された値ではない場合には、ＵＥそれぞれがＨＳＤＰＡサービスを開始する時、他のセットアップ(Setup)情報と共に、該当ＵＥに伝送して実時間に前記共通ＵＥ ＩＤを識別するようにする。
【００５４】
ｎ＋２番目のＴＴＩで共通ＵＥ ＩＤを通じて共通情報が伝送されることを確認したすべての端末機は、該当ＳＨＣＣＨの情報を解釈した後に該当ＴＴＩのＨＳ−ＰＤＳＣＨを受信する。前記ｎ＋１番目のＴＴＩでＨＩ情報が前記該当端末機にＨＳＤＰＡデータの存在を示す情報以外に、読み出されるべきＳＨＣＣＨを示す場合には、ＵＥ ＩＤに対する情報を前記ＳＨＣＣＨが含まれないこともできる。この場合にはすべての端末機が特別なＳＨＣＣＨを読み出すようにし、前記特別なＳＨＣＣＨが共通情報を伝送するＰＤＳＣＨに対する情報を示すこともできる。この場合、前記ＳＨＣＣＨはＨＳ−ＰＤＳＣＨに共通情報が伝送されることを示す指示者(Indication)を含むことができ、前記指示者は変調及びコーディングスキーム(Modulation and Coding Scheme、以下、ＭＣＳ)レベル(level)を利用して知らせることもでき、または前記ＳＨＣＣＨに含まれる各種情報、即ちＨＡＲＱに関する情報、ＨＳ−ＰＤＳＣＨコードに対する情報の一部を利用することもできる。この時、前記ＳＨＣＣＨの情報が該当ＨＩの伝送時区間、またはその以前に伝送されても、所定のバッファーを利用することにより、所定のＵＥは前記ＨＩの同一伝送時区間、または以前伝送時区間でも該当ＳＨＣＣＨ情報を受信することができる。
【００５５】
前記ＭＣＳレベルを利用する方法は、例えばＭＣＳレベルが７種類である場合、７種類のＭＣＳレベルを示すために、３ビット(bits)の情報ビットが必要である。この場合、前記３ビットに示すことができる場合の数は８種類であるので、ＭＣＳレベルに対する情報を前記８種類の場合中、７種類の場合にマッピング(mapping)し、残りの一つの場合を前記ＨＳ−ＰＤＳＣＨが共通情報であることを示す指示者に使用する。
【００５６】
このように前記ＭＣＳレベルを利用してＨＳ−ＰＤＳＣＨが共通情報であることを示す場合、前記ＭＣＳレベルは予め固定して使用できるので、前記方法が可能である。即ち前記ＨＳ−ＰＤＳＣＨが共通情報を伝送する場合には、前記ＭＣＳレベル中、特別な一つのＭＣＳレベルを前記共通情報が伝送されることを示す共通情報指示者に使用することを予め設定する。前記共通情報指示者の伝送時に使用するＭＣＳレベルは、すべての端末機が前記共通情報を正しく受信することができるように高い信頼性に伝送されるべきであるので、チャネル状況が最悪である場合に使用するＭＣＳレベルを選択して使用するのが望ましい。前記ＨＡＲＱ情報、またはＨＳ−ＰＤＳＣＨコード情報を利用する場合は、ＨＡＲＱ、またはＨＳ−ＰＤＳＣＨコード情報が前記共通情報の伝送中に常に一定の値を有する。また表現する場合のビット数が総場合の数より大きい場合、前記ＭＣＳレベルを利用する場合と同一の形態に利用可能である。
【００５７】
前記図８では前記基地局のすべての端末機が前記ＨＳＤＰＡサービスに対する共通情報を受信する場合を仮定して共通情報を伝送する方法を説明した。次に前記基地局の一部端末機のみが前記ＨＳＤＰＡサービスに対する共通情報を受信する場合を仮定して前記共通情報を伝送する方法について図９を参照して説明する。
【００５８】
前記図９は本発明のさらに他の実施形態による高速順方向パケット接続通信システムで、高速順方向パケット接続情報を２ステップ方法を利用して伝達する場合の概略的なチャネル構造を示した図である。
【００５９】
先ず、前記図９では同一の基地局内に存在するすべての端末機中、一部端末機は前記ＨＳＤＰＡサービスに対する共通情報を受信し、残りの端末機は前記共通情報を受信しない場合を仮定する。前記図９では前記共通情報を受信する端末機と前記共通情報を受信しない端末機をそれぞれグループ(Group)に区分して共通情報を伝送する場合、即ち前記共通情報をセル内の一部端末機のみが受信するようにする場合を説明する。前記図９でも前記図８のように３個の端末機が前記ＨＳＤＰＡサービスを受けており、２個のＳＨＣＣＨが割り当てられており、３個のＨＳ−ＰＤＳＣＨが割り当てられている場合を仮定する。また前記図９で前記３個の端末機中、ＵＥ２とＵＥ３は共通情報を受信する端末機であり、ＵＥ１は共通情報を受信しない端末機にグループ化した。
【００６０】
前記図９でｎ＋２番目のＴＴＩで共通情報を伝送することを決定した前記基地局は、ｎ＋１番目のＴＴＩで共通情報を受信する各端末機のＤＰＣＨを利用して該当スロットにＨＩを伝送する。ここで、前記ＨＩは前記図８で説明したように、ＴＴＩ別に伝送され、説明の便宜のため、図９にはＨＳＤＰＡデータが実際に存在するＴＴＩのみにＨＩを示した。また基地局はｎ＋２番目のＴＴＩでＨＳ−ＰＤＳＣＨの情報を伝送するｎ＋２番目のＴＴＩ内のＳＨＣＣＨに該当情報を伝送する。この時、基地局は該当端末機に共通情報が伝送されることを知らせるために、予め設定された共通ＵＥ ＩＤを使用する。前記共通ＵＥ ＩＤ設定及び伝送過程も前記図８で説明したことと同一であるので、その詳細な説明を省略する。
【００６１】
前記ｎ＋２番目のＴＴＩで共通ＵＥ ＩＤなどを通じて共通情報が伝送されることを確認したＵＥ２とＵＥ３は、該当ＳＨＣＣＨの情報を解釈した後に該当ＴＴＩのＨＳ−ＰＤＳＣＨを受信する。前記ｎ＋１番目のＴＴＩで前記ＨＩ情報が前記共通情報の存在有無を示す情報以外に、読み出すべきＳＨＣＣＨを示す情報を示す場合には、ＵＥ ＩＤを前記ＳＨＣＣＨが含まれないことができる。この場合には該当ＵＥが特別なＳＨＣＣＨを読むようにし、特別なＳＨＣＣＨが共通情報を伝送するＨＳ−ＰＤＳＣＨに対する情報を示すことができる。この場合、ＳＨＣＣＨはＨＳ−ＰＤＳＣＨに共通情報が伝送されることを示す共通情報指示者を含むことができる。このような共通情報指示者は前記図８で説明したように、前記ＭＣＳレベルを利用して伝送することもでき、または前記ＳＨＣＣＨに含まれる各種情報、即ちＨＡＲＱに関する情報、ＨＳ−ＰＤＳＣＨコードに対する情報の一部を利用して伝送することもできる。前記図９でｎ＋７番目のＴＴＩでもＵＥ２とＵＥ３にＨＩを伝送したが、この場合にはＵＥ２とＵＥ３にそれぞれＨＳＤＰＡデータを伝送する場合であり、この場合にはＳＨＣＣＨに共通ＵＥ ＩＤを伝送しなく、それぞれの端末機を示すＵＥ ＩＤを伝送する。
【００６２】
前記図８及び図９では前記ＨＩが前記ＨＳ−ＰＤＳＣＨが伝送されるＴＴＩより先に伝送され、ＳＨＣＣＨは前記ＨＳ−ＰＤＳＣＨと同じＴＴＩで伝送されることを仮定している。しかし、本発明の実施形態は前記ＨＩがＳＨＣＣＨと同じＴＴＩで伝送され、ＨＳ−ＰＤＳＣＨは前記ＨＩが伝送されるＴＴＩの次のＴＴＩで伝送される場合にも適用可能であり、また前記ＨＩとＳＨＣＣＨそしてＨＳ−ＰＤＳＣＨの伝送時間の変化に応じたすべての場合に適用可能であることは勿論である。しかし、端末機はＨＩ、ＳＨＣＣＨ、ＨＳ−ＰＤＳＣＨの順序に前記情報を受信すると仮定する。
【００６３】
前記図８と図９で説明したように、共通情報を受信した端末機は受信したＨＳ−ＰＤＳＣＨに対してＡＣＫ／ＮＡＣＫを伝送しない。通常的なＨＳＤＰＡをサービスする通信システムで、ＨＳ−ＰＤＳＣＨを受信した場合、端末機は前記受信したＨＳ−ＰＤＳＣＨに対してＣＲＣ(Cyclic Redundancy Check)を検討した後、誤りがない場合にはＡＣＫを、誤りがある場合にはＮＡＣＫを伝送する。しかし、前記端末機は共通情報を受信した場合に、ＡＣＫ、またはＮＡＣＫを伝送しない。これは多数の端末機が同時にＡＣＫ、またはＮＡＣＫを伝送する場合、無線上で前記ＡＣＫ、またはＮＡＣＫによる干渉が増加して他の通信に影響を与えることができるからである。従って、基地局は基本的にすべての端末機が共通情報を誤りなし受信することができるように、ＭＣＳレベルと送信電力を設定すべきである。従って、すべての端末機が共通情報を誤りなし受信すると仮定するのが可能である。しかし、端末機それぞれの状況に従って受信された共通情報に誤りが発生する場合もあるので、基地局は前記共通情報をすべての端末機が誤りなし受信することができるようにする方案が必要である。
【００６４】
ここで前記共通情報をすべての端末機が高い信頼度に受信するようにする方法は次のようである。
【００６５】
一番目の方法は、前記基地局が前記共通情報を反復伝送する方法である。
前記共通情報を予め設定された回数Ｎだけ反復伝送する場合、前記基地局は最初に伝送される共通情報以外の情報、即ち２〜Ｎまでの反復共通情報が反復共通情報であることを示すべきである。特定端末機が以前に受信した共通情報に誤りが存在することを検出すると、新しく受信される反復共通情報を利用して前記共通情報を正常的に受信できるようにする。ここで、前記共通情報が反復共通情報であることを示す方法は、１) 前記ＳＨＣＣＨ情報にＭＣＳレベルが予め設定される場合、従来のＳＨＣＣＨがＭＣＳレベル情報を伝送することに比べて、共通情報を伝送する場合には、前記ＳＨＣＣＨにＭＣＳレベル情報に代わり、反復共通情報であることを示す、即ち再伝送に対比して反復伝送する共通情報であることを示すＭＣＳレベル情報を伝送する方法と、２) 前記従来のＳＨＣＣＨが伝送するＨＡＲＱ情報と共に前記共通情報が反復伝送情報であるかを示す情報を伝送するが、これは前記共通情報が初期伝送であるか、または反復伝送であるかを表示して伝送する方法である。
【００６６】
このように前記方法１)及び方法２)を通じて前記端末機が前記共通情報を反復共通情報であることに判断する場合には、前記反復共通情報とすでに受信した共通情報をコンバイン(Combining)する。前記共通情報が初期伝送された共通情報であり、誤りがない場合、前記端末機は上位階層に前記共通情報を伝達する。
【００６７】
また、前記共通情報をすべての端末機が高い信頼度に受信するようにする二番目の方法は、前記基地局が前記共通情報を伝送した後、前記共通情報を受信した端末機中、受信した共通情報に誤りが発生した端末機のみにＮＡＣＫを伝送して、前記基地局が前記ＮＡＣＫを伝送した端末機に対して前記共通情報を再伝送する方法である。
【００６８】
即ち、前記共通情報を受信した端末機中、誤りが発生した端末機のみ前記ＮＡＣＫを前記基地局に伝送し、前記ＮＡＣＫを受信した基地局は前記ＮＡＣＫ信号を伝送した端末機のみに前記共通情報を反復伝送する。この場合、前記共通情報は前記ＮＡＣＫを伝送した端末機のみに特別に反復伝送するものであり、前記反復伝送に対する信頼性を向上させるため、前記基地局は前記反復伝送を予め設定した回数だけ反復することもできる。そこで、前記ＮＡＣＫを伝送した端末機は、前記基地局で反復伝送する共通情報を既存に受信した共通情報とコンバインすることもできる。
【００６９】
図１０は本発明のさらに他の実施形態による２ステップ方法を利用して高速順方向パケット接続情報を伝達する基地局の動作過程を示した順序図である。
【００７０】
図１０を参照すると、先ず、５０１段階で前記基地局はＴＴＩごとに伝送するＨＳＤＰＡデータに対してスケジューリング(SCHEDULING)し、５０２段階に進行する。ここで、前記基地局はＴＴＩごとに前記伝送するＨＳＤＰＡデータに対するスケジューリング動作を反復し、現在伝送するＨＳＤＰＡデータ中、各端末機に伝送するＨＳＤＰＡデータと共通情報データを検討して、伝送するデータとこれに対するＭＣＳレベルなどを決定する。また前記基地局は各端末機のチャネル状態とデータ量などを考慮して伝送するデータを決定し、伝送する共通情報が存在する場合、前記共通情報を優先的に伝送する。
【００７１】
前記５０２段階で前記基地局は前記ＴＴＩごとにスケジューリングされた、即ち伝送されるデータが共通情報データであるか検査する。前記検査結果、前記スケジューリングされた伝送データが共通情報データではない場合、前記基地局は５０３段階に進行する。前記５０３段階で前記基地局は通常的なＨＳＤＰＡデータ伝送過程に応じてデータを該当端末機に伝送する。即ち前記基地局は先ずＨＩを該当端末機に伝送し、該当端末機に対する情報をＳＨＣＣＨに伝送し、該当端末機に伝送するデータを前記ＳＨＣＣＨに伝送した情報に基づいてＨＳ−ＰＤＳＣＨを利用して伝送する。そして前記データを伝送した後、前記基地局は予め設定した時間内にＡＣＫ、またはＮＡＣＫを受信してデータ伝送を終了する。
【００７２】
一方、前記５０２段階で検査結果、前記スケジューリングされた伝送データが共通情報データである場合、前記基地局は５０４段階に進行する。前記５０４段階で前記基地局は共通情報伝送前に、前記基地局でＨＳＤＰＡサービスを支援するすべての端末機のＨＩに伝送する共通情報があることを示す設定値をセッティングした後、前記設定値を伝送してすべての端末機が共通情報を受信することができるようにする。勿論、前記図９で説明したように、前記基地局が共通情報を受信する端末機と共通情報を受信しない端末機をグループ化して、前記共通情報を受信する端末機のみに前記共通情報を伝送する場合、前記基地局は前記５０４段階で前記端末機に伝送されるＨＩのみに前記共通情報が存在することを示す設定値をセッティングするようになる。勿論、前記ＨＩは端末機それぞれに割り当てられたＤＰＣＨを通じてＴＴＩごとに伝送され、前記ＨＩは前記図８及び図９で説明したように、各端末機にＳＨＣＣＨを受信することを命令するのに使用されることができ、追加的に多数のＳＨＣＣＨ中、受信すべきＳＨＣＣＨを示す情報を共に伝送することができる。前記ＨＩが受信すべきＳＨＣＣＨを示す情報を含む場合には、予め一つのＳＨＣＣＨを設定してすべての端末機が一つのＳＨＣＣＨを受信するようにすることができる。
【００７３】
一方、前記５０５段階で前記基地局は前記共通情報が存在することを示す設定値がセッティングされたＨＩを伝送するＴＴＩのすぐ次のＴＴＩのＳＨＣＣＨに、すべての端末機が受信すべきであるＨＳ−ＰＤＳＣＨに対する情報、即ち共通情報を伝送し、５０６段階に進行する。ここで、前記５０４段階で前記ＨＩが受信すべきＳＨＣＣＨを示す情報を含まない場合に、前記ＳＨＣＣＨはＵＥ ＩＤを伝送すべきである。共通情報を伝送する場合に、前記ＳＨＣＣＨはこのＵＥ ＩＤをすべての端末機が予め知っている、共通情報受信のための共通ＵＥ ＩＤを伝送する。前記共通ＵＥ ＩＤはＵＥ ＩＤ中、特別に選択された値であり、予め一つの固定された値を利用することもでき、または各端末機がＨＳＤＰＡサービスを開始する時、同一の値に伝達することもできる。従って本発明ではすべての端末機が前記共通ＵＥ ＩＤを認識できることに仮定する。前記ＳＨＣＣＨには前記共通ＵＥ ＩＤ以外にも追加的にＭＣＳに関する情報と、ＨＳ−ＰＤＳＣＨのコード情報及びＨＡＲＱに対する情報などが含まれることができる。特に前記基地局が前記ＨＡＲＱ情報の共通情報を一度以上伝送し、端末機から伝送されたＮＡＣＫに応じて前記共通情報を再伝送する場合に、前記ＨＡＲＱ情報の内容に再伝送、または反復伝送に関する情報を含むことができる。即ち、現在伝送された共通情報が再伝送された共通情報であるか、それとも初めに伝送された共通情報であることを示す情報を伝送する。前記ＭＣＳレベル情報の場合、共通情報を伝送する場合にはすべての端末機が高い信頼度に受信すべきであるので、一番チャネル状態がよくない端末機に基づいてＭＣＳレベルを決定する。また、前記ＨＳ−ＰＤＳＣＨコード情報の場合、共通情報の量に応じてコードの数を調整可能であるので、共通情報の量が少なく、コード数の余裕がある場合、複数個のコードを利用して前記共通情報を反復して伝送することもでき、または少数のコードを使用して送信電力を高めて伝送することができる。前記反復伝送及び送信電力増加は、前記共通情報の伝送に信頼性を増加させるものである。
【００７４】
そして、前記５０６段階で前記基地局は前記ＳＨＣＣＨ情報に基づいて設定されたＭＣＳレベル、ＨＳ−ＰＤＳＣＨコード情報に応じて前記ＳＨＣＣＨを伝送したＴＴＩと同一のＴＴＩでＨＳ−ＰＤＳＣＨを利用して前記共通情報を伝送し、５０７段階に進行する。前記５０７段階で前記基地局は各端末機からのＮＡＣＫ信号を受信待機した後、５０８段階に進行する。前記図１０では各端末機が受信した共通情報に誤りがある場合のみにＮＡＣＫを伝送する場合を仮定した。一方、前記端末機がＮＡＣＫを伝送しないと仮定した場合には、下記で説明する５０７段階乃至５０８段階は省略可能である。
【００７５】
前記５０８段階で前記基地局は前記受信待機結果、前記端末機からＮＡＣＫ信号が受信されたかを検査する。前記検査結果、前記ＮＡＣＫ信号が受信されない場合、前記基地局は前記共通情報の伝送が成功的に完了されたことに認識し終了する。一方、前記５０８段階で前記ＮＡＣＫ信号が受信される場合、前記基地局は５０９段階に進行する。前記５０９段階で前記基地局は前記ＮＡＣＫ信号を伝送した端末機に対する前記共通情報の反復伝送を決定し、前記共通情報を反復伝送するための準備を遂行し、前記５０１段階に戻す。ここで、前記基地局がＮＡＣＫを受信した場合、前記共通情報をすべての端末機に伝送することもでき、またはＮＡＣＫを送信した端末機のみに伝送することもできる。ここで、前記ＮＡＣＫを送信した端末機のみに再伝送する場合、前記５０４段階で前記ＮＡＣＫを伝送したＵＥのＨＩのみに共通情報が伝送されることを示す設定値をセッティングして伝送する。
【００７６】
前記図１０では基地局の動作過程を説明した。次にＵＥの動作過程を図１１を参照して説明する。
【００７７】
前記図１１は本発明のさらに他の実施形態による２ステップ方法を利用して高速順方向パケット接続情報を受信する端末機の動作過程を示した順序図である。図１１を参照すると、先ず、６０１段階で端末機はＴＴＩごとにＨＩを受信し、６０２段階に進行する。前記６０２段階で前記端末機は前記受信したＨＩが受信するデータが存在することを示す指示者を有しているかを(ＨＩ on)検査する。前記検査結果、前記ＨＩが受信するデータが存在することを示す指示者を有している場合には、前記端末機は６０４段階に進行し、前記受信するデータが存在しない場合には(ＨＩ off)、即ち前記ＨＩに受信するデータが存在することを示す指示者が存在しない場合には、６０３段階に進行して次のＴＴＩのＨＩ受信を待機する。
【００７８】
一方、前記６０４段階で前記端末機は前記ＨＩを受信した後、次のＴＴＩでＳＨＣＣＨを受信し、６０５段階に進行する。前記６０３段階で受信したＨＩが受信するＳＨＣＣＨの情報を含む場合、前記端末機は前記６０４段階で該当ＳＨＣＣＨを受信する。しかし、前記６０３段階で受信したＨＩが受信するＳＨＣＣＨの情報を含まない場合には、前記端末機は前記６０４段階ですべてのＳＨＣＣＨを読み出してＵＥ ＩＤを解釈して該当ＳＨＣＣＨを受信する。前記６０５段階で前記端末機は受信されたＳＨＣＣＨ内のＵＥ ＩＤが共通ＵＥ ＩＤであるかを検査する。前記検査結果、前記受信されたＳＨＣＣＨのＵＥ ＩＤが共通ＵＥ ＩＤではない場合、６０６段階に進行する。前記６０６段階で前記端末機は通常的なＨＳＤＰＡデータ受信動作を遂行し、前記過程を終了する。前記通常的な受信動作で、前記端末機は先ず該当端末機のＵＥ ＩＤが含まれているＳＨＣＣＨの情報を解釈し、解釈された情報に応じてＨＳ−ＰＤＳＣＨを受信し、ＡＣＫ／ＮＡＣＫを伝送する。
【００７９】
一方、前記６０５段階で検査結果、前記ＵＥ ＩＤが共通ＵＥ ＩＤである場合、前記端末機は６０７段階に進行する。前記６０７段階で前記端末機は共通ＵＥＩＤを含めているＳＨＣＣＨ内の情報中、反復伝送に関する情報を検討して、前記共通情報が初期伝送(New transmission)された共通情報であるかを検査する。前記検査結果、前記共通情報が初期伝送された共通情報ではない場合、即ち再伝送された共通情報である場合、前記端末機は６０８段階に進行する。前記６０８段階で前記端末機は前記再伝送された共通情報をすでに受信したが、誤り発生した共通情報とコンバインした後に、さらにＣＲＣ検査を遂行し、６１０段階に進行する。ここで、前記端末機がすでに受信した共通情報と前記再伝送された共通情報をコンバインする多数の方法が提案されることができる。一番目の方法は再伝送された共通情報を優先的にＣＲＣ検査し、誤りがある場合にすでに受信されている共通情報とコンバインし、さらにＣＲＣを検査する方法であり、二番目の方法はすでに受信されている共通情報と前記再伝送された共通情報をシンボル(Symbol)単位にコンバインしてＣＲＣを検査する方法である。
【００８０】
一方、前記６０７段階で検査結果、前記共通情報が初期伝送された共通情報である場合、前記端末機は６０９段階に進行する。前記６０９段階で前記端末機は前記受信した共通情報に対するＣＲＣ検査を遂行して６１０段階に進行する。前記６１０段階で前記端末機は前記ＣＲＣ誤りが存在するかを検査し、前記検査結果、ＣＲＣ誤りがない場合、６１４段階に進行する。前記６１４段階で前記端末機は受信された共通情報を上位階層に伝送して前記共通情報を解釈するようにする。しかし、前記６１０段階で前記検査結果、ＣＲＣ誤りが存在する場合、前記端末機は６１２段階に進行する。前記６１２段階で前記端末機は前記受信した共通情報に誤りがあることを前記基地局に知らせるためにＮＡＣＫを伝送し、６１３段階に進行する。ここで、前記６１２段階は端末機がＮＡＣＫを伝送する場合のみに必要な段階であり、前記端末機が受信された共通情報に誤りがあることにも関わらずＮＡＣＫを伝送しない場合には、前記６１２段階は省略可能であることは勿論である。前記６１３段階で前記端末機は基地局から前記共通情報の再伝送を待機する。
【００８１】
前記図８、図９、図１０、図１１では前記共通情報を伝送する方法中、２ステップ方法を利用する場合を説明した。次に前記共通情報を１ステップ方法を利用して伝送する場合について図１２乃至図１５を参照して説明する。
【００８２】
前記図１２と図１３では前記図３と図４のように、３個の端末機と２個のＳＨＣＣＨ、そして３個のＨＳ−ＰＤＳＣＨを仮定する。同様に、Ｌ個の端末機とＭ個のＳＨＣＣＨ、そしてＮ個のＨＳ−ＰＤＳＣＨに対して本発明の実施形態を拡張適用可能であることは勿論である。また前記図１２と図１３では前記図３と図４のように、基地局がｎ＋２番目のＴＴＩとｎ＋５番目のＴＴＩで端末機に共通情報を伝送することを決定した場合を仮定する。
【００８３】
前記図１２は本発明のさらに他の実施形態による高速順方向パケット接続情報を１ステップ方法を利用して伝達する方法を適用する場合の概略的なチャネル構造を示した図である。
【００８４】
前記図１２を参照すると、ｎ＋２番目のＴＴＩで共通情報を伝送することを決定した基地局は、ｎ＋２番目のＴＴＩ ＨＳ−ＰＤＳＣＨの情報を伝送するｎ＋２番目のＴＴＩ内のＳＨＣＣＨに該当情報を伝送する。この時、基地局はすべての端末機に共通情報が伝送されることを知らせるために、予め設定された共通ＵＥ ＩＤを使用する。この時、設定された共通ＵＥ ＩＤ情報が固定された値である場合には、すべての端末機が前記共通ＵＥ ＩＤ情報を予め知っていることもでき、固定された値ではない場合、各端末機がＨＳＤＰＡサービスを開始する時、他のセットアップ(Setup)情報と共に端末機に伝送する。ｎ＋２番目のＴＴＩで共通ＵＥ ＩＤなどを通じて共通情報が伝送されることを確認したすべての端末機は、該当ＳＨＣＣＨの情報を解釈した後に該当ＴＴＩのＨＳ−ＰＤＳＣＨを受信する。一方、ＳＨＣＣＨが前記共通ＵＥ ＩＤを含まない場合、前記ＳＨＣＣＨはＨＳ−ＰＤＳＣＨに共通情報が伝送されることを示す指示者を含むことができる。このような指示者は前記説明したように特別なＭＣＳレベルを利用して知らせることもでき、またはＳＨＣＣＨに含まれる情報、即ちＨＡＲＱに関する情報、ＨＳ−ＰＤＳＣＨコードに対する情報の一部を利用して前記指示者を伝送することもできる。
【００８５】
前記図１３は本発明のさらに他の実施形態による高速順方向パケット接続情報を１ステップ方法を利用して伝達する方法を適用する場合の概略的なチャネル構造を示した図である。
【００８６】
先ず前記図１３では同一基地局内に存在するすべての端末機中の一部は、前記ＨＳＤＰＡサービスに対する共通情報を受信し、残りの端末機は前記共通情報を受信しない場合を仮定する。前記図１３では前記共通情報を受信する端末機と前記共通情報を受信しない端末機をそれぞれグループ(Group)に区分して、共通情報を伝送する場合、即ち前記共通情報をセル内の一部端末機のみが受信するようにする場合を説明する。前記図１３ではＵＥ２とＵＥ３は共通情報を受信する端末機に、ＵＥ１は共通情報を受信しない端末機にグループ化した場合を仮定し、また前記基地局がｎ＋２番目のＴＴＩとｎ＋５番目のＴＴＩで端末機に共通情報を伝送することを決定した場合を仮定する。
【００８７】
前記図１３を参照すると、前記基地局はｎ＋２番目のＴＴＩ ＨＳ−ＰＤＳＣＨの情報を伝送するｎ＋２番目のＴＴＩ内のＳＨＣＣＨに該当情報を伝送する。この時、基地局は該当端末機に共通情報が伝送されることを知らせるために、予め設定された共通ＵＥ ＩＤを使用する。前記設定された共通ＵＥ ＩＤ情報が固定された値である場合には、該当端末機が前記共通ＵＥ ＩＤを予め知っていることもでき、固定された値ではない場合、各端末機がＨＳＤＰＡサービスを開始する時、他のセットアップ(Setup)情報と共に共通情報を受信する端末機のみに伝送する。
【００８８】
ｎ＋２番目のＴＴＩで共通ＵＥ ＩＤなどを通じて共通情報が伝送されることを確認したＵＥ２とＵＥ３は、該当ＳＨＣＣＨの情報を解釈した後に該当ＴＴＩのＨＳ−ＰＤＳＣＨを受信する。前記ｎ＋１番目のＴＴＩでＨＩ情報が共通情報の存在を示す情報以外に、読み出すべきＳＨＣＣＨを示す情報を示す場合には、ＳＨＣＣＨがＵＥ ＩＤを含まない場合がある。この場合には該当端末機が特別なＳＨＣＣＨを読むようにし、特別なＳＨＣＣＨが共通情報を伝送するＨＳ−ＰＤＳＣＨに対する情報を示すことができる。この場合、ＳＨＣＣＨはＨＳ−ＰＤＳＣＨに共通情報が伝送されることを示す指示者を含むことができる。このような指示者は特別なＭＣＳレベルを利用して知らせることもでき、またはＳＨＣＣＨに含まれる情報、即ちＨＡＲＱに関する情報、ＨＳ−ＰＤＳＣＨコードに対する情報、またはＭＣＳレベルに対する情報の一部を利用して前記指示者を伝送することができる。前記図１３で、ｎ＋８番目のＴＴＩでもＵＥ２とＵＥ３にＨＳ−ＰＤＳＣＨデータを伝送したが、この場合にはＵＥ２とＵＥ３にそれぞれデータを伝送する場合であり、この場合にはｎ＋８番目のＴＴＩのＳＨＣＣＨに共通ＵＥ ＩＤを伝送しなく、それぞれの端末機を示すＵＥ ＩＤを伝送する。ＵＥ ＩＤを伝送しない場合には、共通情報が伝送されることを示す指示者を伝送しない。
【００８９】
図１４は本発明のさらに他の実施形態による１ステップ方法を利用して高速順方向パケット接続情報を伝達する基地局の動作過程を示した順序図である。
【００９０】
図１４を参照すると、先ず、９０１段階で前記基地局はＴＴＩごとに伝送するＨＳＤＰＡデータに対してスケジューリングして９０２段階に進行する。ここで、前記基地局はＴＴＩごとに前記伝送するＨＳＤＰＡデータに対するスケジューリング動作を反復し、現在伝送するＨＳＤＰＡデータ中、各端末機に伝送するＨＳＤＰＡデータと共通情報データを検討して伝送するデータとこれに対するＭＣＳレベルなどを決定する。また前記基地局は、各端末機のチャネル状態とデータ量などを考慮して伝送するデータを決定し、伝送する共通情報が存在する場合、前記共通情報を優先的に伝送するようにする。
【００９１】
前記９０２段階で前記基地局は前記ＴＴＩごとにスケジューリングされた、即ち伝送データが共通情報データであるかを検査する。前記検査結果、前記スケジューリングされた伝送データが共通情報データではない場合、前記基地局は９０３段階に進行する。前記９０３段階で前記基地局は通常的なＨＳＤＰＡデータ伝送過程に応じてデータを該当端末機に伝送する。即ち前記基地局は先ずＨＩを該当端末機に伝送し、該当端末機に対する情報をＳＨＣＣＨに伝送し、該当端末機に伝送するデータを前記ＳＨＣＣＨに伝送した情報に基づいてＨＳ−ＰＤＳＣＨを利用して伝送する。そして前記データを伝送した後、前記基地局は予め設定した時間内にＡＣＫ、またはＮＡＣＫを受信してデータ伝送を終了する。
【００９２】
一方、前記検査結果、前記スケジューリングされた伝送データが共通情報データである場合、前記基地局は９０４段階に進行する。前記９０４段階に前記基地局は共通情報の伝送前に、すべての端末機が前記共通情報を受信することができるように、共通情報が伝送されることを示す共通情報指示者を伝送し、９０５段階に進行する。前記共通情報が伝送されることを示す共通情報指示者の代表的な例は上述したように共通ＵＥ ＩＤである。ＳＨＣＣＨが前記共通情報を伝送する場合には、すべての端末機が予め知っている共通情報の受信のための共通ＵＥＩＤを伝送する。前記図１３で説明したように、すべての端末機中、一部の端末機のみに共通情報を伝送する場合には一部端末機のみが知っている共通ＵＥ ＩＤを使用することができる。即ち一部端末機のみが知っているＵＥ ＩＤを一部端末機のみに予めシグナリング(signaling)情報を通じて伝送することができる。従って共通情報を受信しない端末機は前記一部端末機のみが知っている共通ＵＥ ＩＤを受信した場合、ＨＳＤＰＡを受信しない。さらに他の方法は、上位階層から前記共通情報が伝送される場合、前記共通情報の暗号情報を前記共通情報を受信する一部端末機のみが知っているので、その他のＵＥは前記共通情報の暗号を解読できないようにする方法などを使用することができる。前記ＳＨＣＣＨには前記共通ＵＥ ＩＤ以外にも追加的にＭＣＳレベルに関する情報、ＨＳ−ＰＤＳＣＨのコード情報、及びＨＡＲＱに対する情報が含まれることができる。特に前記基地局がＨＡＲＱ情報の共通情報を一度以上伝送し、端末機から伝送されたＮＡＣＫに応じて前記共通情報を再伝送する場合に、前記ＨＡＲＱ情報の内容に再伝送に関する情報を入れることができる。即ち、前記基地局は現在伝送する共通情報が再伝送された共通情報であるか、初期伝送された共通情報であるかを示す情報を伝送する。
【００９３】
また、前記ＭＣＳレベル情報の共通情報を伝送する場合には、すべての端末機が受信すべきであるので、一番チャネル状態がよくない端末機に基づいてＭＣＳレベルを決定して、前記共通情報送信の信頼性を高める。また前記ＨＳ−ＰＤＳＣＨコード情報の場合、共通情報の量に応じてコードの数を調整することができる。情報の量が少なく、コードの数に余裕がある場合、多数個のコードを利用して前記共通情報を反復して伝送することもできる。または、少数のコードを使用して送信電力を高くして伝送することができる。前記反復伝送、または送信電力を高くして前記共通情報を伝送することにより、前記共通情報の伝送信頼性を向上させるものである。
【００９４】
前記９０５段階で前記基地局は前記ＳＨＣＣＨ情報に基づいて設定されたＭＣＳレベル、ＨＳ−ＰＤＳＣＨコード情報に応じて前記ＳＨＣＣＨを伝送したＴＴＩと同一のＴＴＩでＨＳ−ＰＤＳＣＨを利用して前記共通情報を伝送する。９０６段階で前記基地局は各端末機からのＮＡＣＫ信号を受信待機して９０７段階に進行する。前記図１４では各端末機が受信された共通情報に誤りがある場合のみにＮＡＣＫを伝送する場合を仮定した。一方、前記端末機がＮＡＣＫを伝送しない仮定した場合には、下記の９０６段階乃至９０７段階は省略可能である。
【００９５】
前記９０７段階で前記基地局は前記受信待機結果、前記端末機からＮＡＣＫ信号が受信されたかを検査する。前記検査結果、前記ＮＡＣＫ信号が受信されない場合、前記基地局は前記共通情報の伝送が成功的に完了されたことに認識し終了する。一方、前記９０７段階で前記端末機からＮＡＣＫ信号が受信される場合、前記基地局は９０８段階に進行する。前記９０８段階で前記基地局は前記ＮＡＣＫ信号を伝送した端末機に対する前記共通情報の反復伝送を決定し、前記共通情報を反復伝送するための準備を遂行し、前記９０１段階に戻す。ここで、前記ＮＡＣＫを受信した基地局は、前記共通情報をすべての端末機に伝送することもでき、またはＮＡＣＫを送信した端末機のみに伝送することもできる。
【００９６】
前記図１４では基地局の動作過程を説明した。次に端末機の動作過程を図１５を参照して説明する。
【００９７】
前記図１５は本発明のさらに他の実施形態による１ステップ方法を利用して高速順方向パケット接続情報を受信する端末機の動作過程を示した順序図である。図１５を参照すると、先ず、１００１段階で端末機はＴＴＩごとにＳＨＣＣＨを受信し、１００２段階に進行する。ここで、ＳＨＣＣＨは各端末機の情報を区分するための指示者を含み、前記指示者の代表的な例がＵＥ ＩＤである。前記ＳＨＣＣＨ指示者中、共通情報を示す共通情報指示者は、上述したようにＵＥ ＩＤの一部を使用する方法を使用することができ、この場合、共通ＵＥ ＩＤが存在する。前記１００２段階で、前記ＵＥは前記受信したＳＨＣＣＨ内のＵＥ ＩＤが共通ＵＥ ＩＤであるかを検査する。前記検査結果、共通ＵＥ ＩＤではない場合、前記端末機は１００３段階に進行する。前記１００３段階で前記端末機は共通ＵＥ ＩＤ以外に自分のＵＥ ＩＤがあるか確認し、自分のＵＥ ＩＤがある場合にはＨＳ−ＰＤＳＣＨを受信し、そうでない場合には次のＴＴＩのＳＨＣＣＨを受信する。前記１００３段階は通常的なＨＳＤＰＡサービス方式と同一であるので、その詳細な説明を省略する。
【００９８】
一方、前記検査結果、前記受信したＳＨＣＣＨ内のＵＥ ＩＤが前記共通ＩＤである場合、前記端末機は１００４段階に進行する。前記１００４段階で前記端末機は共通ＵＥ ＩＤを含めているＳＨＣＣＨ内の情報中、反復伝送に関する情報を検討して前記共通情報が初期伝送共通情報であるか(New Transmission)を検査する。前記検査結果、前記共通情報が初期伝送ではない場合、即ち再伝送共通情報である場合、前記端末機は１００６段階に進行する。前記１００６段階で前記端末機は前記再伝送された共通情報をすでに受信したが、誤り発生した共通情報とコンバインした後にさらにＣＲＣを検査し、１００７段階に進行する。ここで、前記端末機がすでに受信した共通情報と前記再伝送された共通情報をコンバインする多数の方法が提案されることができ、上述したように一番目の方法は再伝送された共通情報を優先的にＣＲＣを検査し、誤りがある場合にすでに受信されている共通情報とコンバインしてさらにＣＲＣを検査する方法であり、二番目の方法はすでに受信されている共通情報と前記再伝送された共通情報をシンボル単位にコンバインしてＣＲＣを検査する方法である。
【００９９】
一方、前記１００４段階で検査結果、前記共通情報が初期伝送共通情報である場合、前記端末機は１００５段階に進行する。前記１００５段階で前記端末機は前記受信した共通情報のＣＲＣを検査し、１００７段階に進行する。前記１００７段階で前記端末機はＣＲＣ誤りが存在するかを検査し、前記検査結果、誤りが発生しない場合、前記１００９段階に進行する。前記１００９段階で前記端末機は受信された共通情報を上位階層に伝送して前記共通情報を解釈するようにする。前記１００７段階でＣＲＣ誤りが発生した場合、前記端末機は１００８段階に進行する。前記１００８段階で前記端末機は前記受信した共通情報に誤りがあることを前記基地局に知らせるために、ＮＡＣＫを前記基地局に伝送し、１０１０段階に進行する。ここで、前記１００８段階は本発明で端末機がＮＡＣＫを伝送することを仮定した場合に必要な段階であり、前記端末機が受信された共通情報に誤りがあることにも関わらず、ＮＡＣＫを伝送しない場合には、前記１００８段階は省略可能である。前記１０１０段階で前記端末機は基地局から共通情報の再伝送を待機する。
【０１００】
【発明の効果】
上述したように、本発明による高速順方向パケットデータ接続通信システムは、基地局が前記高速順方向パケットデータ接続サービスを資源するすべての端末機に共通情報を同時に伝送することを可能にして、前記高速順方向パケットデータ接続サービスの効率を増加させるとの利点を有する。また、前記共通情報をすべての端末機に伝送した後、前記共通情報に対する端末機の応答を選択的に受信するようにしてシステム負荷を低減するとの利点を有する。さらに前記共通情報を伝送することにおいて、反復伝送、または送信電力を増加させ伝送することにより、共通情報の伝送信頼度を向上させるとの利点を有する。
【図面の簡単な説明】
【図１】  通常的な高速順方向パケット接続方式で、高速順方向パケット接続情報を伝達する２ステップ方法を適用する場合の概略的なチャネル構造を示した図である。
【図２】  通常的な高速順方向パケット接続方式で、高速順方向パケット接続情報を伝達する１ステップ方法を適用する場合の概略的なチャネル構造を示した図である。
【図３】  本発明の実施形態で適用される高速順方向パケット接続サービスを遂行する通信システムの概略的な構成を示した図である。
【図４】  本発明の一実施形態による基地局制御器から基地局に共通情報を伝送する過程を示した信号流れ図である。
【図５】  図４の高速順方向パケット接続再構成要求メッセージの構造を示した図である。
【図６】  本発明の実施形態による基地局から端末機に共通情報を伝送する過程を示した信号流れ図である。
【図７】  図６の高速順方向パケット接続再構成メッセージの構造を示した図である。
【図８】  本発明の他の実施形態による高速順方向パケット接続通信システムで、高速順方向パケット接続情報を２ステップ方法を利用して伝達する方法を適用する場合の概略的なチャネル構造を示した図である。
【図９】  本発明のさらに他の実施形態による高速順方向パケット接続通信システムで、高速順方向パケット接続情報を２ステップ方法を利用して伝達する方法を適用する場合の概略的なチャネル構造を示した図である。
【図１０】  本発明のさらに他の実施形態による２ステップ方法を利用して高速順方向パケット接続情報を伝達する基地局の動作過程を示した順序図である。
【図１１】  本発明のさらに他の実施形態による２ステップ方法を利用して高速順方向パケット接続情報を受信する端末機の動作過程を示した順序図である。
【図１２】  本発明の他の実施形態による高速順方向パケット接続通信システムで、高速順方向パケット接続情報を１ステップ方法を利用して伝達する方法を適用する場合の概略的なチャネル構造を示した図である。
【図１３】  本発明のさらに他の実施形態による高速順方向パケット接続通信システムで、高速順方向パケット接続情報を１ステップ方法を利用して伝達する方法を適用する場合の概略的なチャネル構造を示した図である。
【図１４】  本発明のさらに他の実施形態による１ステップ方法を利用して高速順方向パケット接続情報を伝達する基地局の動作過程を示した順序図である。
【図１５】  本発明のさらに他の実施形態による１ステップ方法を利用して高速順方向パケット接続情報を受信する端末機の動作過程を示した順序図である。
【図１】
0003926238.tif 000002
【図２】
0003926238.tif 000003
【図３】
0003926238.tif 000004
【図４】
0003926238.tif 000005
【図５】
0003926238.tif 000006
【図６】
0003926238.tif 000007
【図７】
0003926238.tif 000008
【図８】
0003926238.tif 000009
【図９】
0003926238.tif 000010
【図１０】
0003926238.tif 000011
【図１１】
0003926238.tif 000012
【図１２】
0003926238.tif 000013
【図１３】
0003926238.tif 000014
【図１４】
0003926238.tif 000015
【図１５】
0003926238.tif 000016